(57)【要約】【課題】  権限のない者による展示品７の取外しを防止・遅延する機能や、不意の展示品落下を防止する機能を有し、操作性が良いセイフティフック１を提供する【課題を解決するための手段】  セイフティフック１は、吊りワイヤー３に係止可能なグリップボディ17と、該ボディ17に連結された、物品が吊り下げられるフック23を備える。さらに、該フック23の開き部23zを塞ぐ塞位置と、同部23zを開放する開位置との間で変位可能なフックカバー21と、該フックカバー21の前記塞位置から前記開位置への変位を妨げるカバーキャップ19を備える。【選択図】  図１
2018019806.tif 000002
【特許請求の範囲】
【請求項１】
吊りワイヤー（３）に係止可能なグリップボディ（17）と、
該ボディ（17）に連結された、物品が吊り下げられるフック（23）と、
該フック（23）の開き部（23z）を塞ぐ塞位置と、前記開き部（23z）を開放する開位置との間で変位可能なフックカバー（21）と、
該フックカバー（21）の前記塞位置から前記開位置への変位を妨げるカバーキャップ（19）と、
を備えることを特徴とするセイフティフック（１）。
【請求項２】
さらに、前記フック（23）の前記開き部（23z）を塞ぐカラビナ状の閉止片（25）を備えることを特徴とする請求項１記載のセイフティフック（１）。
【請求項３】
前記フックカバー（21）及び前記カバーキャップ（19）が、前記グリップボディ（17）及び前記フック（23）に対して所定長さスライド可能、かつ取外し不能に係合していることを特徴とする請求項１又は２記載のセイフティフック（１）。
【請求項４】
前記カバーキャップ（19）が、前記グリップボディ（17）に対して、所定長さスライド可能に外嵌しており、
前記カバーキャップ（19）に形成された第一のメネジ（19d）と、前記グリップボディ（17）に形成されたオネジ（17d）とが螺合して両者がスライド不能になることにより、前記フックカバー（21）の前記塞位置から前記開位置への変位が妨げられ、
前記カバーキャップ（19）に、前記グリップボディ（17）の前記オネジ（17d）と干渉して、前記カバーキャップ（19）の前記所定長さを超えるスライドを阻止する段部（19t）が形成されていることを特徴とする請求項３記載のセイフティフック（１）。
【請求項５】
前記グリップボディ（17）と前記フック（23）とが、連結解除不能に連結されており、
前記フックカバー（21）及び前記カバーキャップ（19）の前記フック（23）方向への取外しが不能となっていることを特徴とする請求項３又は４記載のセイフティフック（１）。
【請求項６】
開位置において前記カバーキャップ（19）を位置固定する、前記グリップボディ（17）に形成された前記オネジ（17d）と螺合する、第二のメネジ（19s）が、前記カバーキャップ（19）における前記第一のメネジ（19d）と離隔した位置に形成されていることを特徴とする請求項４又は５記載のセイフティフック（１）。
【請求項７】
前記フックカバー（21）が、前記グリップボディ（17）に対して、軸周りに回動可能であり、
前記開位置において、前記フック（23）の背面(23p)側に前記フックカバー（21）が当たって落下防止されることを特徴とする請求項１〜６いずれか１項記載のセイフティフック（１）。
【請求項８】
ワイヤーグリップ機構を構成するストッパー（13）、ボール（15）、及び、コイルスプリング（16）を前記グリップボディ（17）内へ組み込み、
前記グリップボディ（17）へ前記カバーキャップ（19）を外嵌し、
その後、前記フック（23）と前記グリップボディ（17）とを連結させることを特徴とする請求項１〜７いずれか１項記載のセイフティフック（１）の組立方法。
【発明の詳細な説明】
【技術分野】
【０００１】
本発明は、絵画や商品、パネルなどの展示品を吊り下げるためのワイヤーグリップ付きのフックに関する。特には、権限のない者による展示品の取外し（盗難など）を防止・遅延させる機能や、不意の展示品落下を防止する機能を有するセイフティフックに関する。
【背景技術】
【０００２】
美術館やショーウィンドウなどのディスプレイ空間においては、絵画や商品などの展示品を吊るフックを多数用いている。そして、吊りワイヤーの任意の位置（高さ）にフックを位置させることのできるワイヤーグリップ付きのフックも、多用されている。
【０００３】
本発明者は、このようなワイヤーグリップ付きフックを各種開発している（例えば、特許文献１参照）。また、セイフティフックについても、特許文献２の図７のものなどを製造販売している。
【先行技術文献】
【特許文献】
【０００４】
【特許文献１】特開平11−247948号公報
【特許文献２】特開2004-358228号公報
【発明の開示】
【発明が解決しようとする課題】
【０００５】
本発明は、権限のない者による展示品の取外しを防止・遅延する機能や、不意の展示品落下を防止する機能を有するセイフティフックであって、操作性が良いセイフティフックを提供することを目的とする。また、工具や鍵などの工具を使用しなくてもセイフティ機能を解除・発動できるセイフティフックを提供することを目的とする。
【課題を解決するための手段】
【０００６】
この「課題を解決するための手段」の項、及び、「特許請求の範囲」においては、添付図各部の参照符号を括弧書きして示すが、これは単に参考のためであって、権利範囲を添付図のものに限定するものではない。
【０００７】
本発明のセイフティフック（１）は、  吊りワイヤー（３）に係止可能なグリップボディ（17）と、  該ボディ（17）に連結された、物品が吊り下げられるフック（23）と、  該フック（23）の開き部（23z）を塞ぐ塞位置と、前記開き部（23z）を開放する開位置との間で変位可能なフックカバー（21）と、  該フックカバー（21）の前記塞位置から前記開位置への変位を妨げるカバーキャップ（19）と、を備えることを特徴とする。
【０００８】
本発明のセイフティフック（１）においては、  さらに、前記フック（23）の前記開き部（23z）を塞ぐカラビナ状の閉止片（25）を備えることが好ましい。また、  前記フックカバー（21）及び前記カバーキャップ（19）が、前記グリップボディ（17）及び前記フック（23）に対して所定長さスライド可能、かつ取外し不能に係合していることが好ましい。
【０００９】
本発明の具体的な態様においては、  前記カバーキャップ（19）が、前記グリップボディ（17）に対して、所定長さスライド可能に外嵌しており、  前記カバーキャップ（19）に形成された第一のメネジ（19d）と、前記グリップボディ（17）に形成されたオネジ（17d）とが螺合して両者がスライド不能になることにより、前記フックカバー（21）の前記塞位置から前記開位置への変位が妨げられ、  前記カバーキャップ（19）に、前記グリップボディ（17）の前記オネジ（17d）と干渉して、前記カバーキャップ（19）の前記所定長さを超えるスライドを阻止する段部（19t）が形成されている。
【００１０】
本発明の具体的な態様においては、  前記グリップボディ（17）と前記フック（23）とが、連結解除不能に連結されており、  前記フックカバー（21）及び前記カバーキャップ（19）の前記フック（23）方向への取外しが不能となっている。
【発明の効果】
【００１１】
本発明によれば、権限のない者による展示品の取外しを防止・遅延する機能や、不意の展示品落下を防止する機能を有するセイフティフックであって、操作性が良いセイフティフックを提供できる。
【図面の簡単な説明】
【００１２】
【図１】本発明の実施形態に係るセイフティフック１の塞位置における側面断面図である。
【図２】図１のセイフティフック１を構成するグリップボディ17及びカバーキャップ19の側面断面図である。
【図３】図１のセイフティフック１の開位置における側面断面図である。
【図４】図１のセイフティフック１を、塞位置で、吊りワイヤー３に沿って上下にスライドさせている状態（展示品７の高さ調整をしている状態）の側面断面図である。
【符号の説明】
【００１３】
１；セイフティフック、３；吊りワイヤー、５；吊り部材、７；展示品
11；ストッパーキャップ、11b；上部、11d；メネジ、11k；下端面、
13；ストッパー（中ピン）、13b；上端部、13d；オネジ、13f；上中部、13h；内孔、
13r；ボール孔、13v；バネ掛け部
15；ボール、16；コイルスプリング、
17；グリップボディ、17b；上端面、17c；上口、17d；オネジ、17g；上部外周、
17f；上半部、17h；テーパ内孔、17k；中部外周、17m；ストレート内孔、
17p；下半部、17r；下部外周、17s；メネジ、17x；下口、17z；下端
19；カバーキャップ、19d；メネジ上（第一のメネジ）、19g；上部、19k；逃げ部、
19m；中部、19p；外周面、19s；メネジ下（第二のメネジ）、19t；内段部、
19v；下部、19z；下端面、
21；フックカバー、21b；上端面、21g；リング部、21k；アーム部、21r；カバー部、
21v；被さり部、21x；穴、21z；下端面、
23；フック、23b；首部（連結部）、23d；オネジ、23f；段部、23h；フック根元部、
23k；カラビナ孔、23m；貫通孔、23r；フック部、23t；底部、23v；立上がり部、
23x；突先、23z；フック開き部、
25；カラビナ状閉止片、25b；孔掛け部、25f；下端部、
【発明を実施するための形態】
【００１４】
以下、本発明の実施の形態について、図面を参照しながら詳細に説明する。各図に示す方向の意味は次のとおりである。「上」及び「下」は、吊りワイヤー３にセイフティフック１を介して展示品７を吊下げた状態における重力方向の上下である。「前」は、フック23のフック開き部23zの側（図３に示すように展示品７の吊り部材５を、フック23から取り出す側であり、「後」はその反対側である。
【００１５】
この実施形態のセイフティフック１は、図１においてほぼ下から上に示すように、フック23・カラビナ状の閉止片25・フックカバー21・カバーキャップ19・グリップボディ17・コイルスプリング16・ストッパー（中ピン）13・ボール15・ストッパーキャップ11からなる。そして、セイフティフック１は、吊りワイヤー３の任意の高さ位置に係止可能であって、吊り部材５を介して展示品７を高さ調整可能に吊るものである。以下、各部品について順に説明する。なお、カバーキャップ19及びグリップボディ17の各部分の符号については、図２を参照されたい。
【００１６】
フック23
上端部に首部23b（グリップボディ17との連結部）を有し、その下に釣針状のフック部23rを有する。首部23bは、短い円筒状で、外周にオネジ23dが切られている。このオネジ23dは、グリップボディ17のメネジ17s（図２）と螺合（接着剤を付けて）し、ほぼ取り外し（連結解除）不能に、連結される。
【００１７】
首部23bの下には、フック根元部23hが一体につながっている。フック根元部23hは、首部23bより径大であり、その上端周辺部は上向きの段部23fとなっている。この段部23fには、グリップボディ17の下端17z（図２）が当接する。フック根元部23hの前側寄りの部分には、前後方向に対して直角に、カラビナ孔23kが貫通している。同カラビナ孔23kには、カラビナ状閉止片25の根元の孔掛け部25b（図１の紙面に直交する方向に曲げられている）が、回動自在に嵌り込んでいる。
【００１８】
フック根元部23h及び首部23bの中心部には、上下に延びる貫通孔23mが形成されている。この貫通孔23mには、吊りワイヤー３が通る。
【００１９】
フック部23rの下半分程度の部分は、半円状であり、その底部23tの上側（内側）に、紐あるいは金具の吊り部材５が載る。底部23tの前側には、立上がり部23vがつながっており、同部23vの上端は、フック23の突先23xである。同突先23xは、フックカバー21の塞位置において、同カバー21下端の穴21xの中に入り込む。
【００２０】
カラビナ状の閉止片25
同閉止片25は、図１の前後方向に見て、全体がＶ字状である（特開2004−358228参照）。閉止片25の上端の孔掛け部25bは、Ｖ字の上端両方が内側（図１の紙面に直交する方向）に曲げられていて、フック23のカラビナ孔23kに、回動自在に嵌り込んでいる。
【００２１】
閉止片25は、自然姿勢からやや開く形に弾性変形してフック根元部23hに係合している。そして、上端の孔掛け部25bを中心にして、バネのように図１の時計方向に付勢されており、その下端部25fはフック23の立上がり部23v内側に当接している。その結果、自然状態では、閉止片25は、フック開き部23zを閉じて、吊り部材５の脱出（外れ）を防止している。吊り部材５を外すときは、閉止片25を指で押して反時計方向に回して、フック開き部23zを開く。
【００２２】
フックカバー21
フックカバー21は、上端部のリング部21gと、その前側部分から（図１で見て）斜め前下に延び出るカバー部21rを有する。リング部21gは、円環状であり、図１の塞位置では、グリップボディ17の下部外周17rの外側に嵌り込んでいる。同リング部21gは、グリップボディ17外周を、上下にスライド可能であり、また回動可能である（図３では、上に上がって、かつ、カバー部21rがフック23の後側に回っている）。リング部21gの上端面21bには、図１の状態で、カバーキャップ19の下端面19z（図２）が当接している。
【００２３】
図１で見て、リング部21gの前側部分から下に、アーム部21kが一体に下方に延び出している。同アーム部21kの下には、カバー部21r・被さり部21vがつながっている。被さり部21vは、アーム部21kよりもかなり太い略円柱状であり、その下端面21zには、略円中状の穴21xが、上に掘り込まれている。この穴21xには、図１の塞位置で、フック突先23xが嵌り込む。
【００２４】
カバーキャップ19
カバーキャップ19は、図２にも示すように、比較的薄い円筒状の部材であり、グリップボディ17の外周面の外側に嵌合している。カバーキャップ19の上部19gの内面には、メネジ上（第一のメネジ）19dが切られている。このメネジ上19dは、塞位置（図１）において、グリップボディ17上部外面のオネジ17dと螺合し、カバーキャップ19が下限位置で固定される。
【００２５】
カバーキャップ19の上下方向の中部19m（図２）の内面は、上記メネジ上19dのネジ底よりも径大の逃げ部19kとなっている。この逃げ部19kは、グリップボディ17の上記オネジ17dと干渉せず、カバーキャップ19を真っ直ぐ上下移動できるようになっている。カバーキャップ19の中部19m及び下部19vの外周面19pには、上下に延びる多数の溝加工（図示されず）が施されており、ローレット状に指で回し易くなっている。
【００２６】
カバーキャップ19の下部19vの内面上部には、一山程度の短いメネジ下（第二のメネジ）19sが切られている。メネジ下19s以外の下部19vは、ネジが切られていない肉厚部となっている。メネジ下19sは、図３の開位置で、グリップボディ17上端部のオネジ17dと螺合し、カバーキャップ19を上限位置に止める。これにより、カバーキャップ19を指で摘まんでおかなくてもよいので、操作者は、フックカバー21やカラビナ状の閉止片25・吊り部材５の操作に集中できる。
【００２７】
カバーキャップ19の下部19vのネジが切られていない部分は、内段部19t（図３参照）として作用し、グリップボディ17のオネジ17dに当たって、カバーキャップ19のグリップボディ17上方への抜け出しを防止している。同下部19vの下端面19zは、図１の塞位置で、フックカバー21の上端面21bに当たっており、フックカバー21を上に上げられなくなっている。
【００２８】
グリップボディ17
グリップボディ17も、円筒状の部材であり、外周面は、最上部のオネジ17dを除いて、同じ径の直円筒面である。グリップボディ17の上半部17f（最上部除く、図２）の内孔17hは、下広がりのテーパ面となっている。したがって、同上半部17fは上ほど肉厚が厚い。グリップボディ17の下半部17pの内孔17mは、ストレートな円筒面である。
【００２９】
グリップボディ17の上端面17bには、図１・３の状態で、ストッパーキャップ11の下端面が当接している。グリップボディ17の外周面最上部には、オネジ17dが切られている。このオネジ17dは、上述のカバーキャップ19のメネジ上19d及びメネジ下19sが螺合する。グリップボディ17外周面のうち、オネジ17dの直ぐ下の部分（上部外周17g）には、図３の開位置で、カバーキャップ19の下部19vの内面が外嵌する。同上部外周17gの下の中部外周17k、及び、その下の下部外周17rには、図３の開位置で、フックカバー21のリング部21gやアーム部21kの内面が接触する。
【００３０】
グリップボディ17の内孔は、図２に示すように、上から、ストレートな上口17c、下広がりテーパ面のテーパ内孔17h、ストレート内孔17m、メネジ17s、下口17xとなっている。テーパ内孔17hには、ワイヤーグリップ機構のボール15（円周方向に等ピッチで３個配置）の外面が当接する（図示を簡単にするため２個のボール15を示してある）。ボール15は、グリップボディ17のテーパ内孔17hの上に行くほど中心に寄り（図１・図３参照）、その中の吊りワイヤー３に強く押し付けられて、吊りワイヤー３をグリップする。
【００３１】
メネジ17sは、フック首部23bの外周のオネジ23dと螺合（接着剤を付けて）し、ほぼ取り外し（連結解除）不能に、連結される。なお、その螺合（解除不能な連結）は、グリップボディ17内へのストッパー13やボール15・コイルスプリング16の組み入れと、グリップボディ17外へのカバーキャップ19の組み込み後に行う。なお、「解除不能な連結」とはいっても、通常の螺合解除形態・解除力では解除不能という意味であって、接着剤の接着力を弱める物理的・化学的処置や、接着剤を破壊するような巨大な力を加えた場合（通常セイフティフック使用中ではありえない形態）においても、連結解除不能という意味ではない。
【００３２】
グリップボディ下端面17zは、フック23の首部23bとフック根元部23hとの間の段部23fに当接する。
【００３３】
コイルスプリング16
コイルスプリング16は、フック23の首部23bの上面と、ストッパー13の下端部のバネ掛け部13vとの間で、押し勝手に配置されている。このコイルスプリング16は、ストッパー13を上方に（複数のボール15同士の内側間隔が狭くなる方向に）付勢している。
【００３４】
ボール15
ボール15は、ストッパー13の下部の側壁に三箇所開けられたボール孔13rに、円周方向に等ピッチで三個配置されている。なお、図においては、理解を容易にするため２個のボール15を対向配置したように示してある。このボール15の外面は、グリップボディ17のテーパ内孔17hに当接し、内面は、吊りワイヤー３に押し付けられる（図１・図３、ワイヤーグリップ機構を構成）。
【００３５】
ストッパー13
ストッパー13は、グリップボディ17よりも細い円筒体である。その内孔13hには、吊りワイヤー３が通っている。ストッパー13の上中部13fの外面にはオネジ13dが切られている。ストッパー13と、ボディ15、コイルスプリング16、及びグリップボディ17により、セイフティフック１を吊りワイヤー３の任意の高さ位置でグリップ（固定）する機構を構成している。ストッパー13の上端部13bを下に押して、ストッパー13をグリップボディ17の中に押し込むことにより、グリップは解除される（図４参照）。
【００３６】
ストッパーキャップ11
ストッパーキャップ11は、上部11bがややすぼまった円筒状のものである。ストッパーキャップ11の内面にはメネジ11dが切られている。このメネジ11dは、ストッパー13のオネジ13dと螺合する。キャップ11の下端面11kは、図１・図３の状態で、グリップボディ17の上端面17b（図２）に当接する。ストッパーキャップ11が、ストッパー13に被さっていると（図１・図３）、ストッパー13を押し下げることができず、吊りワイヤー３のグリップを解除することができない。キャップ11をストッパー13から外すと、ストッパー13を押し下げることができる（図４）。つまり、ストッパーキャップ11は、不意にストッパー13を下げてグリップを解除するのを防止している。
【００３７】
次に、セイフティフック１の各状態（図１の塞位置、図３の開位置、図４の塞位置で上下スライド）を、まとめて説明する。
図１のセイフティフック１閉位置では、フック23の開き部23zが、フックカバー21のカバー部21rと、カラビナ状閉止片25の両者によって、二重に閉じられている。したがって、展示品７の吊り部材５を、フック23から外すことはできず、展示品７の不当な取外し（盗難など）は、防止されている。
【００３８】
図１の塞位置から、図３の開位置とするには、カバーキャップ19を回して、カバーキャップ19のメネジ上（第一のメネジ）19dをグリップボディ17のオネジ17dから外す。外れたら、カバーキャップ19を上にストレートに引き上げる。次いで、カバーキャップ19のメネジ下（第二のメネジ）19sを、グリップボディ17のオネジ17dに一山程度軽く止めておけば、その後、カバーキャップ19を指で支えないでセイフティフック１を操作可能なので、便利である。
【００３９】
なお、カバーキャップ19の図３の状態からの上方への抜け出しは、前述のとおり、カバーキャップ下部19vのネジが切られていない部分が、グリップボディ17の上端部のオネジ17dに当たり、防止されている。
【００４０】
次いで、フックカバー21を上に上げて、被さり部21vをフック突先23xから抜く。さらに、フックカバー21を上に抜くとともに略180度回して、フック開き部23zからカバー部21rを外す。これが、図３のフックカバー21の状態であるが、ここから、フックカバー21を自由にすると、自重で下に下がって、アーム部21kあるいは被さり部21vが、フック23に引っ掛かって止まる。この状態でも、フック開き部23zにフックカバー21がかかることはない。このように、フックカバー21やカバーキャップ19は、開位置のセイフティフック１から外れることはなく、それらの部品を落とす心配がなく、また、ポケットなどに納めておく手間がかからない。
【００４１】
次いで、指F1（例えば左手の親指）で、カラビナ状の閉止片25を後側に押して反時計方向に回し、閉止片25の下端部25fを、フック23の後側内面23qに付ける。これで、フック開き部23zはオープンになる。そこで、指F2（例えば右手の人差し指）で、吊り部材５を引っ掛けて、フック23から外す。これにより、展示品７をフック23から取り外すことができる。
【００４２】
この実施形態では、フックカバー21と閉止片25で、二重にフック開き部23zを閉じているが、これは、フックカバー21を図２の状態（開位置）にした状態で、吊り部材５の取付け・取外し作業などの際に、不意に吊り部材５がフック23から脱落するのを防止するためである。
【００４３】
この実施形態では、図３の開位置において、フックカバー21もカバーキャップ19も、上述のように、セイフティフック１から外れないようになっている。そのため、操作中に、それらの部品を落としてしまうおそれがない。また、外した部品をポケットなどにしまったり、取り出す必要もなく、作業にかかる手間・注意を著しく低減できる。さらに、フックカバー21もカバーキャップ19も、動かすのに工具は不要であり、工具を取り出す手間も、落とす心配もない。
【００４４】
この実施形態では、上述のように、図１の塞位置から図３の開位置にセイフティフック１の形態を変化させるのに、特別な工具や鍵を用いない。そのため、盗難防止の効果が低いようにも思えるが、実際には、塞位置から開位置に変えるのに、カバーキャップ19やフックカバー21、カラビナ状の閉止片25の操作に、ある程度の時間がかかり、その間に、監視員や学芸員が気付いて、盗難を十分に防止できる。
【００４５】
図４は、図１のセイフティフック１を、塞位置で、吊りワイヤー３に沿って上下にスライドさせている状態（展示品７の高さ調整をしている状態）の側面断面図である。この状態では、ストッパーキャップ11は、ストッパー13から外されている。そして、ストッパー13の上端部13bを指（図示されず）で下に押して、ストッパー13をグリップボディ17の中に押し込むことにより（コイルスプリング16´は縮んでいる）、グリップは解除されている。すなわち、ボール15´は、グリップボディ17のテーパ内孔17h下部の径大部に位置し、外側に移動して、吊りワイヤー３から離れている。
【００４６】
なお、本発明は、以上説明した実施形態に限定されるものではなく、様々な変形・追加を加えることができる。
【図１】
2018019806.tif 000003
【図２】
2018019806.tif 000004
【図３】
2018019806.tif 000005
【図４】
2018019806.tif 000006